(57)【要約】【課題】前面扉の下側をキャビネットに操作簡単に組付けることができる自動販売機の前面扉取り付け構造を提供する。【解決手段】前面扉１０の下側の軸受け孔部２３を、前面扉１０がキャビネット３に対して下向きに相対移動するように操作されることによって、キャビネット３の支軸２１の上端側に嵌合するように構成してある。支軸２１は、この支軸２１の下端側２１ａがキャビネット３の支軸組付け孔２５に挿入されることによってキャビネット３の扉支持部３ｄに立設されている。【選択図】　　　　図３
2004030435.tif 000002
【特許請求の範囲】
【請求項１】
前面扉の下端側がキャビネット上下向きの支軸を介して回動自在に連結するキャビネットの扉支持部に、支軸組付け孔を設けるとともに、この支軸組付け孔は、前記支軸の下端側が挿入されることによって前記支軸を前記扉支持部に立設するように構成し、前面扉の軸受け孔部は、前面扉をキャビネットに対してキャビネット下方向きに相対移動させる操作によって前記支軸に対して嵌合するように構成してある自動販売機の前面扉取付け構造。
【請求項２】
前面扉の上端側をキャビネット上下向きの軸芯まわりで回動自在に支持する支軸を、キャビネットの内部から延出している支持体の延出端側に支持させ、前面扉の軸受け孔部を、前面扉をキャビネットに対してキャビネット下方向きに相対移動させる操作によって前記支軸に対して嵌合するように構成した状態で前面扉の内部に設けてある自動販売機の前面扉取付け構造。
【請求項３】
前面扉の下端側の軸受け孔部を回動自在に支持する下側の支軸をキャビネットに設け、前面扉の上端側の軸受け孔部を回動自在に支持する上側の支軸を、キャビネットの内部から延出している支持体の延出端側に支持させ、前面扉の前記上下一対の軸受け孔部を、前面扉をキャビネットに対してキャビネット下方向きに相対移動させる操作によって前記支軸に対して嵌合するように構成して前面扉の内部に配置してある自動販売機の前面扉取付け構造。
【請求項４】
前記前面扉が閉じていると、前面扉の係止部に係合して、前面扉がキャビネットに対してキャビネット上方向きに相対移動することを抑制する係合部をキャビネットに備えてある請求項１〜３のいずれか１項に記載の自動販売機の前面扉取付け構造。
【請求項５】
前記係合部を、前面扉が閉じていると、前面扉がキャビネットに対してキャビネット前方向きに相対移動することを抑制する状態に前記係止部に対して係合するように構成してある請求項４記載の自動販売機の前面扉取付け構造。
【請求項６】
前記係合部を、前記支持体に備えてある請求項２〜５のいずれか１項に記載の自動販売機の前面扉取付け構造。
【発明の詳細な説明】
【０００１】
【発明の属する技術分野】
本発明は、前面扉がキャビネット上下向きの軸芯まわりで揺動開閉するようにキャビネットに取付けられる自動販売機の前面扉取り付け構造に関する。
【０００２】
【従来の技術】
上記自動販売機において、従来、前面扉１０は、図７に示す取付け構造を採用して揺動開閉するように取付けられていた。
すなわち、キャビネット３の上端側と下端側で各別に支持されて前面扉１０の上端部と下端部を各別に回動自在に支持する上下一対の支軸２１，３３を備えるとともに、下側の支軸２１は、支持体５０の連結ボルト５１による締め付け連結によってキャビネット３に立設するように構成し、かつ、前面扉１０の軸受け孔部２３に対して下方から嵌まり込むように構成し、上側の支軸３３は、支持体５２の連結ボルト５３による締め付けによってキャビネット３の外面側に取付けるように構成し、かつ、前面扉１０の軸受け孔部３５に対して上方から嵌まり込むように構成した取付け構造を採用されていた。
【０００３】
【発明が解決しようとする課題】
従来、前面扉１０のキャビネット３に対する組付けを行うに当たり、先ず、下側の支軸２１を複数本の連結ボルト５１の締め付け操作によってキャビネット３に立設し、前面扉１０の下端部を、キャビネット３の下側で支持されている支軸２１に装着し、この後、前面扉１０の上端部に支軸３３を装着するとともに支持体５２の締め付けによってキャビネット３に連結するという組付け方法を採用する必要があり、下側の取付け面からも上側の取付け面からも手間が掛かっていた。
【０００４】
本発明の目的は、前面扉を作業容易かつ迅速に組付けられるとか、さらには、その割には支持構造が外部に露出せず、したがって扉を外して盗難されにくく組付けられる自動販売機の前面扉取付け構造を提供することにある。
【０００５】
【課題を解決するための手段】
請求項１による発明の構成、作用、効果はつぎのとおりである。
【０００６】
〔構成〕
請求項１に記載の発明は、自動販売機の前面扉取付け構造において、前面扉の下端側がキャビネット上下向きの支軸を介して回動自在に連結するキャビネットの扉支持部に、支軸組付け孔を設けるとともに、この支軸組付け孔は、前記支軸の下端側が挿入されることによって前記支軸を前記扉支持部に立設するように構成し、前面扉の軸受け孔部は、前面扉をキャビネットに対してキャビネット下方向きに相対移動させる操作によって前記支軸に対して嵌合するように構成してある。
【０００７】
〔作用〕
支軸の下端側を支軸組付け孔に挿入すれば、支軸が扉支持部に立設した状態になるものだから、支軸を支軸組付け孔に挿入するだけで操作簡単かつ迅速に所定の組付け状態にできる。
【０００８】
前面扉をキャビネットに対してキャビネット下方向きに相対移動するように操作すれば、前面扉の軸受け孔部が支軸に嵌合するものだから、前面扉をキャビネットに対して下降移動するように操作するだけで操作簡単かつ迅速に前面扉の下端側をキャビネットに回動自在に取付けられる。
【０００９】
〔効果〕
従って、支軸の組付け面からも、前面扉の取付け面からも前面扉の下端側をキャビネットに操作容易かつ迅速に組付け、この分前面扉全体を作業容易かつ能率よく組付けられる。
【００１０】
請求項２による発明の構成、作用、効果はつぎのとおりである。
【００１１】
〔構成〕
請求項２に記載の発明は、自動販売機の前面扉取付け構造において、前面扉の上端側をキャビネット上下向きの軸芯まわりで回動自在に支持する支軸を、キャビネットの内部から延出している支持体の延出端側に支持させ、前面扉の軸受け孔部を、前面扉をキャビネットに対してキャビネット下方向きに相対移動させる操作によって前記支軸に対して嵌合するように構成した状態で前面扉の内部に設けてある。
【００１２】
〔作用〕
前面扉をキャビネットに対してキャビネット下方向きに相対移動するように操作すれば、前面扉の軸受け孔部が支軸に嵌合するものだから、前面扉をキャビネットに対して下降移動するように操作するだけで操作簡単かつ迅速に前面扉の上端側をキャビネットに回動自在に取付けられる。
【００１３】
支軸をキャビネットの内部から延出している支持体の延出端側に支持させ、前面扉の軸受け孔部を前面扉の内部に設けてあるものだから、前面扉を取付けた状態では、支軸も支持体も前面扉とかキャビネットの内部に位置して外部に露出しなくなる。
【００１４】
〔効果〕
従って、前面扉をキャビネットに対して下降移動するように操作するだけで操作簡単かつ迅速に前面扉の上端側を取付けられ、この分前面扉全体を作業容易かつ能率よく組みつけられる。
しかも、支軸も支持体も外部に露出しない状態に扉上端側を組付け、その取付け構造を外したり破損して前面扉を開けられる被害が受けにくい状態で使用できる。
【００１５】
請求項３による発明の構成、作用、効果はつぎのとおりである。
【００１６】
〔構成〕
請求項３に記載の発明は、自動販売機の前面扉取付け構造において、前面扉の下端側の軸受け孔部を回動自在に支持する下側の支軸をキャビネットに設け、前面扉の上端側の軸受け孔部を回動自在に支持する上側の支軸を、キャビネットの内部から延出している支持体の延出端側に支持させ、前面扉の前記上下一対の軸受け孔部を、前面扉をキャビネットに対してキャビネット下方向きに相対移動させる操作によって前記支軸に対して嵌合するように構成して前面扉の内部に配置してある。
【００１７】
〔作用〕
前面扉をキャビネットに対してキャビネット下方向きに相対移動するように操作すれば、前面扉の下側の軸受け孔部も上側の軸受け孔部も支軸に嵌合するものだから、前面扉をキャビネットに対して下降移動するように操作するだけで操作簡単かつ迅速に前面扉の上下両端側をキャビネットに回動自在に取付けられる。
【００１８】
上側の支軸をキャビネットの内部から延出している支持体の延出端側に支持させ、前面扉の上側の軸受け孔部も下側の軸受け孔部も前面扉の内部に設けてあるものだから、前面扉を取付けた状態では、上下両側の支軸も、上側支軸の支持体も前面扉とかキャビネットの内部に位置して外部に露出しなくなる。
【００１９】
〔効果〕
従って、前面扉をキャビネットに対して下降移動するように操作するだけで操作簡単かつ迅速に前面扉の上端側も後端側も取付けられ、前面扉の組付けが作業容易かつ能率よく行える。
しかも、上下両側の支軸も、上側支軸の支持体も外部に露出しない状態に前面扉を組付け、その上側の取付け構造においても下側の取付け構造においても外したり破損して前面扉を開けられる被害が受けにくい状態で使用できる。
【００２０】
請求項４による発明の構成、作用、効果はつぎのとおりである。
【００２１】
〔構成〕
請求項１〜３のいずれか１項による発明の構成において、前記前面扉が閉じていると、前面扉の係止部に係合して、前面扉がキャビネットに対してキャビネット上方向きに相対移動することを抑制する係合部をキャビネットに備えてある。
【００２２】
〔作用〕
前面扉が閉じられると、前面扉の係止部とキャビネットの係合部とが係合し、この係合により、前面扉のキャビネットに対するキャビネット上方向きの相対移動が抑制されるものだから、前面扉をキャビネットに対して持上げようとしても上がらないとかほとんど上がらなくて前面扉が支軸から外れないようにできる。
【００２３】
〔効果〕
従って、前面扉をキャビネットに対して下降移動するように操作するだけで作業容易かつ能率よく組み付けできるものが、前面扉が上方に外される被害を受けにくくしながら使用できる。
【００２４】
請求項５による発明の構成、作用、効果はつぎのとおりである。
【００２５】
〔構成〕
請求項４による発明の構成において、前記係合部を、前面扉が閉じていると、前面扉がキャビネットに対してキャビネット前方向きに相対移動することを抑制する状態に前記係止部に対して係合するように構成してある。
【００２６】
〔作用〕
前面扉が閉じられると、前面扉の係止部とキャビネットの係合部とが係合し、この係合により、前面扉のキャビネットに対するキャビネット前方向きの相対移動が抑制されるものだから、前面扉がキャビネットから前方側に外れにくいように強固に支持される。
【００２７】
〔効果〕
従って、前面扉をキャビネットに対して下降移動するように操作するだけで作業容易かつ能率よく組み付けできるものが、前面扉が上方にも前方にも外される被害を受けにくくしながら使用できる。
【００２８】
請求項６による発明の構成、作用、効果はつぎのとおりである。
【００２９】
〔構成〕
請求項２〜３のいずれか１項による発明の構成において、前記係合部を、前記支持体に備えてある。
【００３０】
〔作用〕
前記係合部を前記支持体に備えているものだから、この支持体をキャビネットに連結して支軸をキャビネットに装着することにより、係合部も一挙にキャビネットに備えさせられる。
【００３１】
〔効果〕
支軸をキャビネットに装着する操作によって係合部も一挙に装備させ、前面扉を作業容易に取付けられるとともに外れにくいように使用できるものを、係合部の装着の面からも組み立て作業容易に得られる。
【００３２】
【発明の実施の形態】
図１に示すように、開口１が前面側に付いているとともにこの開口１を上下一対の断熱扉２ａ，２ｂと、前面扉１０とによって開閉するように構成してあるキャビネット３の内部に、このキャビネット３の横及び前後方向に並ぶ複数の商品通路４を備える商品収納部５、この商品収納部５の下方に位置するシュート６、このシュート６の下方に位置する温度調節装置７などを設けるとともに、前記前面扉１０の下端側に、前面扉１０の横方向に並ぶ複数個の商品取り出し口を備えている商品払い出し部８を設けて、自動販売機を構成してある。
【００３３】
この自動販売機は、缶入りとか瓶入り飲料などの商品を販売するものであり、商品収納部５の各商品通路４の上端側に連通している商品投入口９から商品を投入することにより、各商品通路４において、商品がキャビネット上下方向に一列に積み重ねて収納されるとともに前記温度調節装置７からの温調空気によって加熱されたり冷却されて設定温度に保たれ、前面扉１０の表面側に設けてある購入スイッチ（図示せず）を操作して販売指令が付与されると、この販売指令に対応する商品を収納している商品通路４の下端側が開閉操作されて商品が１個ずつ商品通路４からシュート６上に落下され、このシュート６に沿って滑落案内される商品が下段側の断熱扉２ｂの開口２ｃから前面扉１０の前記商品払い出し部８におけるいずかれの商品取り出し口に払い出される。
【００３４】
前記前面扉１０は、この前面扉１０の横一端側の上下２箇所でキャビネット３に対してキャビネット上下向きの軸芯Ｐまわりで回動自在に取付けてあり、前記軸芯Ｐまわりで揺動して開閉するようになっている。
【００３５】
この前面扉取付け構造のうち、前面扉１０の下端側を取付けている下側取付け構造部２０は、図２、図３に示すように、キャビネット３の下端側に前面扉１０の下側に入り込むように構成して備えてある基盤部３ａにおける横一端部で成る扉支持部３ｄに立設したキャビネット上方向きの下側支軸２１と、前面扉１０の横端部の下端側にブラケット２２を介して筒体を固設して設けた下側軸受け孔部２３とによって構成してある。
【００３６】
下側支軸２１は、キャビネット３の前記扉支持部３ｄに支持筒２４を組付けて設けたキャビネット上下向きの支軸組付け孔２５に支軸２１の下端側２１ａを抜き出し自在に挿入することによって扉支持部３ｄに組付けてあり、そして、支軸組付け孔２５の支持作用のために、上端側が支軸組付け孔２５から上方に突出するとともにキャビネット上下方向に沿った立設姿勢になっている。
【００３７】
下側軸受け孔部２３は、前面扉１０の屈曲板金で成る扉上下向きの側枠部１１の内部に位置していて、この下側軸受け孔部２３に入り込んだ下側支軸２１が前記側枠部１１の内部に入り込む状態にしてこの下側支軸２１の上端側に対して相対回動自在に外嵌するとともに下側支軸２１の段部２１ｂによって受け止め支持されており、前面扉１０の下端部をキャビネット３に対して前記軸芯Ｐ上に位置する下側支軸２１の軸芯まわりで回動自在に連結している。
【００３８】
前面扉取付け構造のうち、前面扉１０の上端側を取付けている上側取付け構造部３０は、図２、図４などに示すように、キャビネット３の上端側の内部からキャビネット前方向きに延出している板金製の支持体３２のキャビネット３外に突出している延出端側部分に固着されているキャビネット上向きの上側支軸３３と、前面扉１０の横端部の上端側にブラケット３４を介して筒体を固着して設けた上側軸受け孔部３５とによって構成してある。
【００３９】
前記支持体３２の基端側は、キャビネット３の天板の内面側と、枠体３ｂの上端部とにわたって連結ボルト３１によって締め付け連結されていることにより、キャビネット３の内部に連結している。
【００４０】
上側軸受け孔部３５は、前面扉１０の前記側枠部１１の内部に位置していて、この上側軸受け孔部３５に入り込んだ上側支軸３３が前記側枠部１１の内部に入り込む状態にしてこの上側支軸３３に相対回動自在に外嵌しており、前面扉１０の上端部をキャビネット３に対して前記軸芯Ｐ上に位置する上側支軸３３の軸芯まわりで回動自在に連結している。
【００４１】
前面扉１０の前記下側軸受け孔部２３も前記上側軸受け孔部３５も、前面扉１０をキャビネット３に対してキャビネット下方向きに相対移動させる操作によって下側支軸２１や上側支軸３３に対して嵌合するように、かつ、前面扉１０をキャビネット３に対してキャビネット上方向きに相対移動させる操作によって下側支軸２１や上側支軸３３から抜け外れるように構成してある。
【００４２】
図２、図５などに示すように、前面扉１０の前記側枠部１１の上端部に板金部材の一端側を固着して設けた係止部４１と、前記上側取付け部構造３０の前記支持体３２の基端側に備えてあるとともに矩形の貫通孔４２を有している係合部４３とにより、前面扉１０のための外れ止め手段４０を構成してある。
すなわち、図５（ロ）、図６に示すように、前面扉１０が閉じられると、係止部４１の先端部４１ａが前記支持体３２の前記貫通孔４２、及び、この貫通孔４２と同じ大きさ及び形状を備えさせて前記枠体３ｂに設けてある貫通孔３ｃを通って係合部４３の裏側に入り込み、係止部４１と係合部４３とが次の如く係合する。つまり、前面扉１０をキャビネット３に対してキャビネット上方向きに相対移動させると、これに伴って係止部４１の先端側が貫通孔４２の内部で係合部４３に当接して前面扉１０がそれ以上キャビネット上方に相対移動することを防止する状態に、かつ、前面扉１０をキャビネット３に対してキャビネット前方向きに相対移動させると、これに伴って係止部４１の先端側が貫通孔４２の内部で係合部４３に当接するとともに枠体３ｂを介して係合部４３に引っ掛かって前面扉１０がそれ以上キャビネット前方向きに移動して外れることを防止する状態に係合する。
これにより、外れ止め手段４０は、前面扉１０がキャビネット３に対してキャビネット上方向きに係止部４１が係合部４３に当接するまでは移動してもそれ以上は移動しないようにその相対移動を係合部４３によって抑制し、かつ、前面扉１０がキャビネット３に対してキャビネット前方向きに係止部４１が係合部４３に当接するまでは移動してもそれ以上は移動しないようにその相対移動を係合部４３によって抑制する。
【００４３】
従って、前面扉１０の組付けを行うに当たり、前面扉１０を前記係止部４１がキャビネット３の外側に出てキャビネット３に当たらないところの開き位置にしながら、キャビネット３に対してキャビネット下方向きに相対移動するように操作すれば、下側軸受け孔部２３が下側支軸２１に、上側軸受け孔部３５が上側支軸３３にそれぞれ嵌まり込み、前面扉１０がキャビネット３に対して前記軸芯Ｐまわりで揺動開閉するように連結する。そして、この状態では、下側支軸２１も上側支軸３３も前面扉１０における側枠部１１の内部に入り込んで外部に露出しなくなり、上側支軸３３を支持している支持体３２も自動販売機の内部に位置して外部に露出しなくなる。さらに、前面扉１０を閉じると、外れ止め手段４０の係合部４３が係止部４１との係合によって前面扉１０のキャビネット３に対する上方向き及び前方向きでの相対移動を抑制し、前面扉１０を外れにくくする。
【図面の簡単な説明】
【図１】自動販売機全体の前面扉開き状態での斜視図
【図２】前面扉取付け構造の斜視図
【図３】（イ）は、下側取付け構造部の前面扉取外し状態での側面図、（ロ）は、下側取付け構造部の前面扉取付け状態での側面図、
【図４】（イ）は、上側取付け構造部の前面扉取外し状態での側面図、（ロ）は、上側取付け構造部の前面扉取付け状態での側面図、
【図５】（イ）は、上側取付け構造部の前面扉開き状態での平面図、（ロ）は、上側取付け構造部の前面扉閉じ状態での平面図、
【図６】上側取付け構造部の前面扉閉じ状態での側面図、
【図７】従来の前面扉取付け構造を示す斜視図
【符号の説明】
３　　　　　　キャビネット
３ｄ　　　　　扉支持部
１０　　　　　前面扉
２１，３３　　支軸
２３，３５　　軸受け孔部
２５　　　　　支軸組付け孔
３２　　　　　支持体
４１　　　　　係止部
４３　　　　　係合部
Ｐ　　　　　　軸芯
【図１】
2004030435.tif 000003
【図２】
2004030435.tif 000004
【図３】
2004030435.tif 000005
【図４】
2004030435.tif 000006
【図５】
2004030435.tif 000007
【図６】
2004030435.tif 000008
【図７】
2004030435.tif 000009